(57)【要約】      （修正有）【課題】左右一対の脚部材に支持される天板もしくは、一対の脚部材に亘り取付けられる幕板などの横架部材に対し共通して取付け可能な配線ダクト装置を提供する。【解決手段】左右一対の脚部材に支持される天板の下方に取付けられる配線ダクト装置１において、電線および通信線を配置する配線受部５と、幕板などの横架部材の正面に固定可能な第１の取付部と、天板における下面に固定可能な第２の取付部と、を備える。【選択図】図２
2014090858.tif 000002
【特許請求の範囲】
【請求項１】
左右一対の脚部材に支持される天板を備えた家具もしくは、前記天板を備えるとともに、前記一対の脚部材に亘り取付けられる横架部材を備えた家具に対し、前記天板の下方に取付けられる配線ダクト装置において、
配線ダクト装置は配線類を配置する配線受部と、前記横架部材の正面に固定可能な第１の取付部と、前記天板における下面に固定可能な第２の取付部と、を備えることを特徴とする配線ダクト装置。
【請求項２】
前記第１の取付部は、横架部材に設けた溝部に対し溝嵌合する係合部を有した構造であり、前記第２の取付部は、天板に対しビスにより固定するためのビス孔を有した構造であることを特徴とする請求項１に記載の配線ダクト装置。
【請求項３】
前記配線受部より外方側に突出する突出部を有しており、該突出部に前記第２の取付部の前記ビス孔が穿設されていることを特徴とする請求項２に記載の配線ダクト装置。
【請求項４】
長手方向に亘り同形の断面形状の配線ダクト本体と、当該配線ダクト本体の長手方向両端部にそれぞれ前記断面形状に合わせて接続される取付部材とにより構成され、前記取付部材に前記第１の取付部と前記第２の取付部とが、それぞれ設けられていることを特徴とする請求項１ないし３のいずれかに記載の配線ダクト装置。
【請求項５】
前記配線ダクト本体は略上向きコ字状に形成されており、前記取付部材は前記配線ダクト本体の長手方向の端部形状と略同形の溝部を備えていることを特徴とする請求項４に記載の配線ダクト装置。
【発明の詳細な説明】
【技術分野】
【０００１】
本発明は、テーブルや机の下方に、その天板上で利用するパソコンや電話などの電線および通信線等を配置する配線ダクト装置に関する。
【背景技術】
【０００２】
従来、左右一対の脚部に支持される天板を有した机に対し取付けられる配線ダクト装置としては、金属製の板を屈曲させて電線および通信線等を配置する受け部材（配線ダクト装置）を天板の下面にビス等を利用して直接取付ける態様が一般的である（例えば、特許文献１参照）。
【０００３】
また、天板の下方において、左右一対の脚部材の背面側を覆う後幕板を取付けた机やテーブルに対して配線ダクト装置を取付ける場合に、前記後幕板の正面に設けられた挟持部を、略Ｊ字状の配線ダクト装置に形成された上下の挟持片により挟持して固定するものもある（例えば、特許文献２参照）。
【先行技術文献】
【特許文献】
【０００４】
【特許文献１】特開２０１０−１０４４８３号公報（第３頁、第２図）
【特許文献２】特開平５−２２０９８号公報（第３頁、第４図）
【発明の概要】
【発明が解決しようとする課題】
【０００５】
しかしながら、このように配線ダクト装置は天板に取付ける場合と、幕板などの横架部材に対して取付ける場合とがあることから、それぞれの要望に対して特許文献１や特許文献２にあるような専用の配線ダクト装置をそれぞれ準備する必要があるため、製造コストが高くなるという問題がある。
【０００６】
本発明は、このような問題点に着目してなされたもので、左右一対の脚部材に支持される天板もしくは、一対の脚部材に亘り取付けられる幕板などの横架部材に対し共通して取付け可能な配線ダクト装置を提供することを目的とする。
【課題を解決するための手段】
【０００７】
前記課題を解決するために、本発明の配線ダクト装置は、
左右一対の脚部材に支持される天板を備えた家具もしくは、前記天板を備えるとともに、前記一対の脚部材に亘り取付けられる横架部材を備えた家具に対し、前記天板の下方に取付けられる配線ダクト装置において、
配線ダクト装置は配線類を配置する配線受部と、前記横架部材の正面に固定可能な第１の取付部と、前記天板における下面に固定可能な第２の取付部と、を備えることを特徴としている。
この特徴によれば、第１の取付部と第２の取付部とを備えることにより配線ダクト装置を天板と横架部材とのどちらにも取付けることができる。そのため、天板と横架部材とのどちらに取付ける要望に対しても、それぞれ専用の配線ダクト装置を準備する必要がないため、製造コストを削減可能であるとともに、現場での汎用性が高い。
【０００８】
本発明の配線ダクト装置は、
前記第１の取付部は、横架部材に設けた溝部に対し溝嵌合する係合部を有した構造であり、前記第２の取付部は、天板に対しビスにより固定するためのビス孔を有した構造であることを特徴としている。
この特徴によれば、第１の取付部の係合部を横架部材に設けた溝部に対し溝嵌合する構造とすることで家具への固定力を高めるとともに、一方の第２の取付部をビス固定とすることで汎用性を高めることができる。
【０００９】
本発明の配線ダクト装置は、
前記配線受部より外方側に突出する突出部を有しており、該突出部に前記第２の取付部の前記ビス孔が穿設されていることを特徴としている。
この特徴によれば、ビス孔が配線受部より外方側に突出する突出部に穿設されていることから、配線ダクト装置の取付け作業時において、ドライバーをビス孔に対し垂直にアクセスさせることができるため作業効率が高い。
【００１０】
本発明の配線ダクト装置は、
長手方向に亘り同形の断面形状の配線ダクト本体と、当該配線ダクト本体の長手方向両端部にそれぞれ前記断面形状に合わせて接続される取付部材とにより構成され、前記取付部材に前記第１の取付部と前記第２の取付部とが、それぞれ設けられていることを特徴としている。
この特徴によれば、配線ダクト本体は長手方向に亘り同形の断面形状であるとともに、その断面形状に合わせて第１の取付部と第２の取付部を備える取付部材が接続されているので、任意の長さに切断してその長さを調整可能であり、種々の大きさの家具に対応できる。
【００１１】
本発明の配線ダクト装置は、
前記配線ダクト本体は略上向きコ字状に形成されており、前記取付部材は前記配線ダクト本体の長手方向の端部形状と略同形の溝部を備えていることを特徴としている。
この特徴によれば、略上向きコ字状に形成された配線ダクト本体は、変形に強い矩形状の取付部材に設けられた溝部に嵌合するため、捻れや歪みに強い。また、このように構造的に配線ダクト装置の強度を高められていることから、例えば配線ダクト装置を強度の高い金属等に替えて合成樹脂等の素材で構成することができるため、配線ダクト装置の軽量化が可能であり、前記第１の取付部及び第２の取付部に掛かる負荷の軽減も可能である。
【図面の簡単な説明】
【００１２】
【図１】実施例における配線ダクト装置を取付けるテーブルを示す斜視図である。
【図２】実施例における配線ダクト装置を示す斜視図である。
【図３】同じく配線ダクト装置を示す分解斜視図である。
【図４】配線ダクト本体端部と取付部材とを示す一部拡大斜視図である。
【図５】（ａ）は取付部材を示す上面図であり、（ｂ）は同じく背面図である。
【図６】（ａ）は取付部材を示す内側面図であり、（ｂ）は同じく外側面図である。
【図７】天板を備えるとともに、一対の脚部材に亘り取付けられる横架部材を備えた家具に配線ダクト装置を取付けた様子を示す断面図である。
【図８】横架部材を備えていない家具に配線ダクト装置を取付けた様子を示す断面図である。
【図９】（ａ）は、変形例における取付部材を幕板に取り付ける様子を示す断面図であり、（ｂ）は、同じく取り付け後の断面図である。
【図１０】配線ダクト本体と取付部材の組み立て態様の変形例を示す拡大断面図である。
【発明を実施するための形態】
【００１３】
本発明に係る配線ダクト装置を実施するための形態を実施例に基づいて以下に説明する。
【実施例】
【００１４】
実施例に係る配線ダクト装置につき、図１から図８を参照して説明する。図１（ａ）に示されるテーブル２は、主に会議室などで利用される折りたたみテーブルであり、左右一対の脚部材２０，２０に支持される天板２１を有し、脚部材２０，２０を構成する４本の脚２０ａ，２０ａ，…にはそれぞれキャスタ５０，５０，…が設けられている。尚、テーブル２Ａは図７における紙面左側を背面、右側を正面として説明する。
【００１５】
このようなテーブル２には、その天板２１上にパソコンや電話などの電化製品を配置する場合があることから、天板２１に下方へ貫通する開口Kを設けるとともにカバー２２ａ，２２ａ，…を取付けて、下方から天板２１の上に電線や通信線等の配線類を通す配線引き出し部２２，２２，…を設けている。
【００１６】
また、テーブル２は脚部材２０，２０の背面側を覆うように横架部材としての幕板６が取付けられている。詳しくは幕板６は、その正面６ａにおける下部の左右に下部リンク部材７が取付けられている（図７参照）。この下部リンク部材は、一端を幕板６側に枢支されて前後方向に回動可能となっている棒材であり、他端を脚体２０の内側に前後方向に回動可能に枢支されている。
【００１７】
そして、幕板６の正面６ａ側における上部の左右には、上部リンク部材８が取付けられている（図７参照）。この上部リンク部材８は、一端を幕板６側に枢支されて前後方向に回動可能となっている棒材であり、他端を天板２１の下面２１０に固着されている。
【００１８】
また、幕板６の正面６ａには配線ダクト１等を取付け可能な上レール部６０（溝部）と下レール部６１（溝部）とが長手方向に亘り上下に形成されている。上レール部６０は、幕板６の内部に矩形状に凹設されるとともに、開口部分において幕板正面６ａから一部下方へ突出した係止部６０ａを備えた形状となっている。また下レール部６１は、上レール部６０を天地対称とした形状となっており、係止部６１ａを備えている。
【００１９】
本発明は、上述したテーブルに取付けられて、電線や通信線等の配線類をまとめてテーブルの左右に誘導載置するための配線ダクト装置である。尚、配線ダクト装置１は図７における紙面左側を背面、右側を正面として説明する。
【００２０】
図２ないし図４に示されるように、配線ダクト装置１は略上向き略Ｊ字状の配線ダクト本体３に、その長手方向両端部に取付部材４，４がそれぞれ接続されて構成されており、配線ダクト本体３と取付部材４，４の下部により配線が載置される配線受部５が構成されている。
【００２１】
配線ダクト本体３の断面形状は、長手方向に亘り同形の略上向きコ字状であり、その断面形状における上方を向く２つの屈曲片３ａ，３ｂのうち１方（３ａ）が短く形成されており、電線および通信線の脱落を防止するとともに、後述する配線ダクト装置の取付け後において利用者が配線受部にアクセスしやすいように天板２１との間に開口を形成するようになっている。また、図４に示されるように、配線ダクト本体３の端部には切欠き３ｃ，３ｃがそれぞれ設けられている。
【００２２】
取付部材４は、略矩形状に形成されるとともに、側部を開口する開口部４ｅを備えた側面視略ロ字状となっており、この開口４ｅより配線受部５に載置された配線をまとめて配線ダクト装置１の外に出すようになっている。
【００２３】
そして、取付部材４は配線ダクト本体３の端部形状と略同形の溝部４ａを備えており、配線ダクト本体３の端部がこの溝部４ａ（詳しくは図６（ａ）参照）に溝嵌合することで配線ダクト装置１が構成されている。また、溝部４ａの内側には突起４３が形成されており、当該突起４３が前記配線ダクト本体３の端部の切欠き３ｃ，３ｃにそれぞれ係合することで取付部材４と配線ダクト本体３との固定力が高められている。なお、図５（ａ），（ｂ）に示されるように、溝部４ａは奥面４ｈを有した溝構造であるため、配線ダクト本体３を奥面４ｈに当接して外方へ突出させることなく、また配線ダクト本体３を後述するビス孔４０，４０に到達させることなく、差込み方向に位置決めできる。
【００２４】
また、配線ダクト本体３の断面形状における２つの屈曲片３ａ，３ｂはそれぞれの上方端部に配線受部５側に膨出する肉厚部３０，３１を有しており、配線ダクト本体３の捻れ変形を防止している。なお、前記取付部材４，４の溝部４ａ，４ａにはこれらの肉厚部が嵌合可能な拡大溝部４ｇ，４ｇが形成されている。
【００２５】
図６に示されるように、取付部材４は、背面４ｄ上部より下方に向け鉤状に延設される係合部４１と、背面４ｄ下部より上方に向け鉤状に延設される係合部４２とが、背面４ｄの幅方向に亘り形成されており、これらが本発明における第１の取付部である。
【００２６】
そして、配線ダクト装置１は、これらの上下の係合部４１，４２を前記幕板６の正面６ａに設けられた上レール部６０と下レール部６１とにそれぞれ溝嵌合させて幕板６に対し固定される。
【００２７】
溝嵌合の方法としては、幕板６の長手方向両端にそれぞれ取付けられるエンドキャップ９，９（図１参照）を一旦取り外して上レール部６０と下レール部６１の端部を露出させ、当該上レール部６０と下レール部６１に対し組み上がった状態の配線ダクト装置１における上下の係合部４１，４２を側方よりスライドさせて溝嵌合し、最後にエンドキャップ７を取付ける。
【００２８】
なお、エンドキャップ９，９は幕板６への取付け時に、上レール部６０および下レール部６１内に所定の長さ侵入する突出片９ａ，９ａを有しているため、最後にエンドキャップ７を取付けたことで突出片９ａ，９ａが取付部材４，４の係合片４１，４１の外側面４１ａ，４１ａにそれぞれ当接して配線ダクト装置１の左右方向の移動を規制するようになっている。
【００２９】
図５（ａ），（ｂ）に示されるように、取付部材４の上面４ｂは、溝部４ａの形成される側面とは反対側、すなわち配線受部５の長手方向外方に一部突出する突出部４ｆを有しており、この突出部４ｆには第２の取付部であるビス孔４０，４０が穿設され、後述する天板下面２１０（図７参照）への取付け時に利用されるようになっている。
【００３０】
続いて、配線ダクト装置１は前記幕板６を備えないテーブル２’の天板２１に取付ける場合を図８を用いて説明する。組み立てられた配線ダクト装置１は、配線ダクト本体３が前記配線引き出し部２２の真下またはその近傍に位置するようにテーブル２’の天板２１の下面２１０に配置され、前述したように取付部材４，４のビス孔４０，４０，…を通して天板下面２１０に直接ビス１００，１００，…で固定される。
【００３１】
またこのビス止め作業は、図５（ａ），（ｂ）に示されるように、ビス孔４０，４０は配線受部５の長手方向の端部より外方側に穿設されていることから、配線ダクト装置１の取付け作業時においてドライバーをビス孔４０，４０に対し垂直にアクセスさせることができるため作業効率が高い。
【００３２】
なお、取付部材４，４は上面４ｂと、背面４ｄとが成す角度が直角より若干小さくなるように設計されていることから、その取付け完了時において背面の下部が正面側に若干傾斜するようになっており、これに伴い配線ダクト本体３の下部も正面側に傾斜するため、配線ダクト装置１全体が正面側に傾斜して、テーブル２Ａの背面側から見た際の配線ダクト装置１の存在感を和らげる視覚効果がある。
【００３３】
以上説明したように本発明の配線ダクト装置は、電線および通信線を配置する配線受部５と、天板２１における下面２１０に固定可能な第１の取付部と、幕板６などの横架部材の正面６ａに固定可能な第２の取付部と、を備えることから、配線受部に電線および通信線を配置可能としながら、天板２１と幕板６や一対の脚部材２０，２０に連結された補強横材等の横架部材とのどちらにも取付けることができる。そのため、天板２１と横架部材のどちらに取付ける要望に対しても、それぞれ専用の配線ダクト装置を準備する必要がないため、製造コストを削減可能であるとともに、現場での汎用性が高い。
【００３４】
また、第１の取付部を鉤状の係合部４１，４２を幕板６に設けた上レール部６０および下レール部６１に対し溝嵌合する構造とすることでテーブルへの固定力を高めるとともに、一方の第２の取付部をビス固定とすることで汎用性を高めることができる。
【００３５】
また、取付部材４，４に第１の取付部と第２の取付部を設けたことから、配線ダクト本体３に取付部を設ける必要がなく、かつ配線ダクト本体３は長手方向に亘り同形の断面形状であることから、配線ダクト本体３を任意の長さに切断して、その長さを調整可能であり、種々の大きさのテーブルに対応できる。
【００３６】
また、略上向きコ字状に形成された配線ダクト本体３は、変形に強い矩形状の取付部材４，４に設けられた溝部４ａに嵌合するため、捻れや歪みに強い。また、このように構造的に配線ダクト装置１の強度を高められていることから、例えば配線ダクト装置１を強度の高い金属に替えて合成樹脂等の素材で構成することができるため、配線ダクト装置１の軽量化が可能であり、前記第１の取付部及び第２の取付部に掛かる負荷の軽減も可能である。
【００３７】
以上、本発明の実施例を図面により説明してきたが、具体的な構成はこれら実施例に限られるものではなく、本発明の要旨を逸脱しない範囲における変更や追加があっても本発明に含まれる。
【００３８】
例えば、前記実施例では、取付部材４の係合部４１，４２を上レール部６０と下レール部６１に溝嵌合させる際に、幕板６の長手方向両端にそれぞれ取付けられるエンドキャップ９，９（図１参照）を一旦取り外して上レール部６０と下レール部６１の端部を露出させ、係合部４１，４２を側方よりスライドさせて溝嵌合させる態様で説明されているが、例えば、係合部４１，４２を上レール部６０と下レール部６１に対し押圧することで弾性変形させて嵌合させてもよい。
【００３９】
また、変形例に係る取付部材４’’として、図９（ａ），（ｂ）に示されるように、それぞれ下向き鉤状に形成される係合部４１’，４２’を、幕板６’の正面６ａ’に設けられた上レール部６０’と下レール部６１’の係止部６０ａ’，６１ａ’とにそれぞれ係合させ、さらに係合部４１’と上レール部６０’との間に生じた間隙に楔部材１１０を押圧挿入することで配線ダクト装置を上方に移動不能に幕板６’に取付けるようにしてもよい。
【００４０】
また、配線ダクト本体と取付部材の組み立て態様は前記実施例の構成に限らず、組み立て態様の変形例として、例えば図１０に示されるように、配線ダクト本体３の下面３ｄ’における長手方向端部近傍に係合孔３ｃ’を穿設し、取付部材４’の下面４ｃ’側に突起４３’を設け、この突起４３’を前記係合孔３ｃ’に係合させることで取付部材４’と配線ダクト本体３’との固定力を高める構成にしてもよい。
【００４１】
また、第１の取付部は溝嵌合による取付け構造に限らず、例えばビス止めなどであってもよく、第２の取付部も同様に、例えば溝嵌合等の別の取付け構造であってよい。
【００４２】
また、配線ダクト本体３の形状は断面視略J字状に限らず、例えば断面視略コ字状や略円形であってもよい。
【００４３】
また、配線ダクト装置１は、配線ダクト本体３と取付部材４とに分かれて構成される構造に限らず、これらを一体に形成し、配線ダクト装置１の外面に第１の取付部および第２の取付部を設けてもよい。さらに、このように一体に形成した場合において、配線ダクト装置１の少なくとも長手方向側端部の上縁を前方に屈曲させるとともに、前記配線受部５より外側に突出する突出部を形成し、この突出部に天板に取付けるための第２の取付部を設けてもよく、これによれば、配線ダクト装置１の取付け作業時においてドライバーをビス孔４０，４０に対し垂直にアクセスさせることができる。
【００４４】
また、取付部材４，４には開口部４ｅがそれぞれ設けられているが、取付部材４，４には開口部４ｅを設けず、配線ダクト本体３の下面における長手方向の所要箇所に開口を穿設して、この開口より電線および通信線をまとめて配線ダクト装置１の下方へ出すようにしてもよい。
【００４５】
また、配線ダクト装置１は、前記実施例にあるような折りたたみ式のテーブルに取付けられる用途に限らず、例えば書類などを収納するとともに、天板にファックスや電話の子機等を載置するキャビネットなどに取付けられてもよい。
【００４６】
また、特に図示しないが、配線ダクト本体３の中央付近に、背面に取付部材４の係合部４１，４２と同形状の係合部を有するとともに配線ダクトの断面形状と略同形の貫通孔を有する補助取付部材を配置することで、配線ダクト装置１が取付けられる家具が長手方向に長く形成されている場合であっても、配線ダクト本体３の下方への撓み、およびこの撓みに起因する取付部材４からの配線ダクト３の脱落を防止できる。
【符号の説明】
【００４７】
１                配線ダクト装置
２，２’          テーブル
３                配線ダクト本体
３ａ，３ｂ        屈曲片
３ｃ              切欠き
４，４’，４’’    取付部材
４ａ              溝部
４ｂ              取付部材上面
４ｄ              取付部材背面
４ｅ              開口部
４ｆ              取付部材突出部
５                配線受部
６，６’          幕板（横架部材）
６ａ              幕板正面
９                エンドキャップ
２０              脚部材
２１              天板
３０，３１        屈曲片肉厚部
４０              ビス孔
４１，４２        係合部
４１’，４２’      係合部
６０              上レール部（溝部）
６１              下レール部（溝部）
１００            ビス
２１０            天板下面
【図１】
2014090858.tif 000003
【図２】
2014090858.tif 000004
【図３】
2014090858.tif 000005
【図４】
2014090858.tif 000006
【図５】
2014090858.tif 000007
【図６】
2014090858.tif 000008
【図７】
2014090858.tif 000009
【図８】
2014090858.tif 000010
【図９】
2014090858.tif 000011
【図１０】
2014090858.tif 000012